(57)【要約】  【課題】Ｘ線造影糸が摘みにくく体内や皮膚を傷つけにくいガーゼを提供する。  【解決手段】長手方向に沿った複数の経糸２と幅方向に沿った複数の緯糸３とを平織りしたガーゼ本体４の長手方向に沿って緯糸３と交差させて、経糸２および緯糸３より剛性が高いＸ線造影糸11を配設した。ガーゼ本体４の外側縁の織り止め外方部７の経糸２の端部８より内側にＸ線造影糸11の端部12を位置させる。Ｘ線造影糸11の端部12が摘みにくくなる。Ｘ線造影糸11のみを誤って摘むことを防止できる。Ｘ線造影糸11の端部12を摘んで引っ張った際に、Ｘ線造影糸11が途中で切れることを防止できる。Ｘ線造影糸11の端部12のガーゼ本体４の織り止め部６から織り止め外方部７へと突出している部分を少なくできる。Ｘ線造影糸11の端部12の接触によって体内や皮膚を傷つけることを防止できる。  【選択図】図１
2006218114.tif 000002
【特許請求の範囲】
【請求項１】
長手方向に沿った複数の経糸と幅方向に沿った複数の緯糸とが交互に交差して平織りされた衛生材料と、
この衛生材料の長手方向に沿って前記緯糸と交差して配設されこの衛生材料の経糸および緯糸のそれぞれより剛性が高いＸ線造影糸とを具備し、
前記衛生部材の長手方向の両端部には、前記緯糸が密となるように前記複数の緯糸が長手方向に沿って接して配設された織り止め部がそれぞれ形成され、
この織り止め部より前記衛生部材の長手方向の外方には、前記緯糸が配設されていない織り止め外方部が形成され、
前記Ｘ線造影糸は、このＸ線造影糸の両端部が前記織り止め外方部の前記経糸の端部より内側に位置している
ことを特徴とした使い捨て衛生部材。
【請求項２】
Ｘ線造影糸は、このＸ線造影糸の両端部が織り止め部の幅方向の外端部より内側に位置している
ことを特徴とする請求項１記載の使い捨て衛生材料。
【請求項３】
複数の経糸とともにＸ線造影糸を搬送方向に沿って平行に配設する工程と、
これら経糸およびＸ線造影糸の搬送方向に直交する方向に複数の緯糸を交互に交差させて、前記緯糸が密となるように前記複数の緯糸が長手方向に沿って接して配設された織り止め部と、前記経糸および前記緯糸が交互に交差して平織りされた平織り部と、前記織り止め部と、前記緯糸が配設されていない織り止め外方部とのそれぞれを連続して形成する工程と、
前記織り止め外方部それぞれの前記経糸を切断するとともに、前記Ｘ線造影糸の両端部が前記織り止め外方部の前記経糸の端部より内側に位置するように前記Ｘ線造影糸を切断する
ことを特徴とした使い捨て衛生部材の製造方法。
【発明の詳細な説明】
【技術分野】
【０００１】
本発明は、Ｘ線造影糸が配設されたガーゼなどの使い捨て衛生部材およびその製造方法に関する。
【背景技術】
【０００２】
従来、この種の使い捨て衛生材料としては、外科手術などで血液や体液を吸収させるためにガーゼが使用される。このガーゼは、手術後に体内から取り除かれるが、手術時に血に染まってしまう場合が多いので、臓器などと区別し難しくなるから、体内へ残してしまったまま縫合して手術を終了させてしまう可能性がある。このため、手術の際には、Ｘ線造影糸が配設されたガーゼが使用されている。すなわち、このＸ線造影糸が配設されたガーゼを使用して手術をした後にＸ線撮影をすることによって、このガーゼに配設したＸ線造影糸をレントゲン写真に造影できるので、このガーゼの手術時の体内からの取り残しの有無を確認できる。
【０００３】
そして、この種のガーゼとしては、ガーゼ１枚に対してＸ線造影糸が１本ないし複数本配設されている。具体的に、この種のガーゼとしては、Ｘ線造影糸を織り糸にてガーゼ本体の経糸にもじり織りして織り込んで、このＸ線造影糸をガーゼ本体から抜けにくく構成されている。また、このガーゼは、Ｘ線造影糸がガーゼ本体の長手方向の両端部間に亘って配設されており、このＸ線造影糸がガーゼ本体の経糸と同じ長さであるとともに、このガーゼ本体から外方に突出した構成が知られている(例えば、特許文献１参照。)。
【０００４】
さらに、この種のガーゼとしては、複数本のＸ線造影糸をガーゼ本体の経糸１本と置き換えて平織りして、このＸ線造影糸をＸ線撮影時に確実に確認できるように構成されている。また、このガーゼは、Ｘ線造影糸がガーゼ本体の長手方向の両端部間に亘って配設されており、このＸ線造影糸がガーゼ本体の経糸と同じ長さであるとともに、このガーゼ本体から外方に突出している。さらに、このガーゼのＸ線造影糸は、レントゲン撮影時に確認されやすいようにある程度の太さに形成されているので、ガーゼ本体の経糸および緯糸よりも剛性が高い構成が知られている(例えば、特許文献２参照。)。
【特許文献１】特開２００２−１４３２１２号公報
【特許文献２】特開２００３−３２５５７３号公報
【発明の開示】
【発明が解決しようとする課題】
【０００５】
しかしながら、上述したガーゼでは、Ｘ線造影糸の両端部が経糸と同じ長さでガーゼ本体より外方に位置しているため、このＸ線造影糸を誤って摘んでしまう場合があり、このＸ線造影糸を摘んで引っ張った際に、このＸ線造影糸が途中で切れてしまう可能性がある。さらに、このＸ線造影糸は、ガーゼ本体の経糸および緯糸に比べて剛性が高く形成されているので、このＸ線造影糸のガーゼ本体より外方に位置している部分で、ガーゼ本体に接触する体内や皮膚などの被接触物を傷つけてしまう可能性があるという問題を有している。
【０００６】
本発明は、このような点に鑑みなされたもので、Ｘ線造影糸が摘みにくく被接触物を傷つけにくい使い捨て衛生部材およびその製造方法を提供することを目的とする。
【課題を解決するための手段】
【０００７】
請求項１記載の使い捨て衛生部材は、長手方向に沿った複数の経糸と幅方向に沿った複数の緯糸とが交互に交差して平織りされた衛生材料と、この衛生材料の長手方向に沿って前記緯糸と交差して配設されこの衛生材料の経糸および緯糸のそれぞれより剛性が高いＸ線造影糸とを具備し、前記衛生部材の長手方向の両端部には、前記緯糸が密となるように前記複数の緯糸が長手方向に沿って接して配設された織り止め部がそれぞれ形成され、この織り止め部より前記衛生部材の長手方向の外方には、前記緯糸が配設されていない織り止め外方部が形成され、前記Ｘ線造影糸は、このＸ線造影糸の両端部が前記織り止め外方部の前記経糸の端部より内側に位置しているものである。
【０００８】
そして、長手方向に沿った複数の経糸と幅方向に沿った複数の緯糸とが交互に交差して平織りされた衛生材料の長手方向に沿って緯糸と交差して、この衛生材料の経糸および緯糸のそれぞれより剛性が高いＸ線造影糸が配設されている。また、この衛生部材の長手方向の両端部には、緯糸が密となるように複数の緯糸が長手方向に沿って接して配設された織り止め部がそれぞれ形成されており、この織り止め部より衛生部材の長手方向の外方には、緯糸が配設されていない織り止め外方部が形成されている。そして、この織り止め外方部の経糸の端部より内側にＸ線造影糸の両端部が位置している。このため、このＸ線造影糸の両端部が摘みにくくなるので、このＸ線造影糸を摘んでしまうことがなくなり、このＸ線造影糸を摘んで引っ張った際に途中で切れてしまうことを防止できる。また、このＸ線造影糸の織り止め外方部に突出している部分が少なくなるので、このＸ線造影糸の両端部に接触する被接触物を傷つけてしまうことを防止できる。
【０００９】
請求項２記載の使い捨て衛生部材は、請求項１記載の使い捨て衛生部材において、Ｘ線造影糸は、このＸ線造影糸の両端部が織り止め部の幅方向の外端部より内側に位置しているものである。
【００１０】
そして、Ｘ線造影糸の両端部が織り止め部の幅方向の外端部より内側に位置しているので、このＸ線造影糸の両端部が織り止め外方部に位置しなくなる。このため、このＸ線造影糸を摘むことを確実に防止できるとともに、このＸ線造影糸の両端部に接触する被接触物を傷つけてしまうことを確実に防止できる。
【００１１】
請求項３記載の使い捨て衛生部材の製造方法は、複数の経糸とともにＸ線造影糸を搬送方向に沿って平行に配設する工程と、これら経糸およびＸ線造影糸の搬送方向に直交する方向に複数の緯糸を交互に交差させて、前記緯糸が密となるように前記複数の緯糸が長手方向に沿って接して配設された織り止め部と、前記経糸および前記緯糸が交互に交差して平織りされた平織り部と、前記織り止め部と、前記緯糸が配設されていない織り止め外方部とのそれぞれを連続して形成する工程と、前記織り止め外方部それぞれの前記経糸を切断するとともに、前記Ｘ線造影糸の両端部が前記織り止め外方部の前記経糸の端部より内側に位置するように前記Ｘ線造影糸を切断するものである。
【００１２】
そして、複数の経糸とともにＸ線造影糸を搬送方向に沿って平行に配設する。この後、これら経糸およびＸ線造影糸の搬送方向に直交する方向に複数の緯糸を交互に交差させて、緯糸が密となるように複数の緯糸が長手方向に沿って接して配設された織り止め部と、経糸および緯糸が交互に交差して平織りされた平織り部と、織り止め部と、緯糸が配設されていない織り止め外方部とのそれぞれを連続して形成する。さらに、織り止め外方部それぞれの経糸を切断するとともに、Ｘ線造影糸の両端部が織り止め外方部の経糸の端部より内側に位置するようにＸ線造影糸を切断する。この結果、織り止め外方部の経糸の端部より内側にＸ線造影糸の両端部が位置した使い捨て衛生部材を容易に連続して製造できる。したがって、Ｘ線造影糸の両端部が摘みにくく、このＸ線造影糸の両端部に接触する被接触物を傷つけてしまうことを防止できる使い捨て衛生部材を容易に製造できる。
【発明の効果】
【００１３】
請求項１記載の使い捨て衛生部材によれば、織り止め外方部の経糸の端部より内側にＸ線造影糸の両端部が位置しているので、このＸ線造影糸の両端部が摘みにくくできるため、このＸ線造影糸を摘んで引っ張った際に途中で切れてしまうことを防止できるとともに、このＸ線造影糸の織り止め外方部に突出している部分を少なくなるから、このＸ線造影糸の両端部にて被接触物を傷つけてしまうことを防止できる。
【００１４】
請求項２記載の使い捨て衛生部材によれば、Ｘ線造影糸の両端部が織り止め外方部に位置しないので、このＸ線造影糸を摘むことを確実に防止できるとともに、このＸ線造影糸の両端部にて被接触物を傷つけてしまうことを確実に防止できる。
【００１５】
請求項３記載の使い捨て衛生部材の製造方法によれば、織り止め外方部の経糸の端部より内側にＸ線造影糸の両端部が位置した使い捨て衛生部材を容易に連続して製造できるから、Ｘ線造影糸の両端部が摘みにくく、このＸ線造影糸の両端部にて被接触物を傷つけてしまうことを防止できる使い捨て衛生部材を容易に製造できる。
【発明を実施するための最良の形態】
【００１６】
次に、本発明の使い捨て衛生部材の第１の実施の形態の構成を図１および図２を参照して説明する。
【００１７】
図１および図２において、１は使い捨て衛生部材としてのガーゼである。このガーゼ１は、Ｘ線造影糸入りの使い捨て衛生材料であって、外科手術などの手術用や医療用として血液あるいは体液などを吸収させるために使用される。そして、このガーゼ１は、直線状の経糸２と緯糸３とが交互に平織りされて紡糸されて構成された衛生材料としてのガーゼ本体４を備えている。
【００１８】
ここで、このガーゼ本体４の経糸２および緯糸３のそれぞれは、木綿や、レーヨンなどのセルロース繊維あるいはセルロース繊維とポリプロピレンあるいはポリエステルなどのプラスチック繊維との混合体などの素材で直線状に紡がれた糸状物に形成されている。
【００１９】
具体的に、このガーゼ本体４は、長手方向に沿って平行に離間されて配設された複数本の経糸２と、幅方向に沿って平行に離間された複数本の緯糸３とが交互に交差して平織りされて構成された矩形状の平織り部５を有している。この平織り部５は、複数本の経糸２と複数本の緯糸３とが等間隔に交互に交差して平織りされて形成されている。
【００２０】
そして、この平織り部５の長手方向に沿った両端部としての両端縁には、緯糸３が密となるように複数、例えば６本程度の緯糸３が長手方向に沿って接して配設されて構成された織り止め部６がそれぞれ形成されている。これら織り止め部６は、各経糸２間の間隔より狭い間隔で複数本の緯糸３が、これら経糸２のそれぞれに対して交互に交差させて織り込まれて構成されている。
【００２１】
さらに、これら織り止め部６の平織り部５の長手方向に沿った両端部である両側縁には、緯糸３が配設されておらず経糸２のみが織り止め部６より外方に突出した織り止め外方部７がそれぞれ形成されている。これら織り止め外方部７は、各織り止め部６の外側縁より平織り部５の長手方向の外方に設けられている。さらに、これら織り止め外方部７は、織り止め部６の外側縁に織り込まれている緯糸３よりも外側に向けて突出している各経糸２の端部８にて形成されている。
【００２２】
したがって、ガーゼ本体４の各経糸２は、このガーゼ本体４の一方の織り止め外方部７の外側端から他方の織り止め外方部７の外側端までに亘って配設されている。また、これら経糸２は、ガーゼ本体４の平織り部５の幅方向の全領域に亘って緯糸３間に交互に平織りされて織り込まれている。
【００２３】
さらに、これら緯糸３は、ガーゼ本体４の平織り部５の幅方向の一側縁から他側縁までに亘って配設されている。また、これら緯糸３は、ガーゼ本体４の一方の織り止め部６の外側縁から他方の織り止め部６の外側縁までに亘って経糸２間に交互に平織りされて織り込まれている。
【００２４】
そして、このガーゼ本体４には、Ｘ線撮影としてのレントゲン撮影によるレントゲン写真に造影可能なＸ線造影糸11が配設されて取り付けられている。このＸ線造影糸11は、図１に示すように、平面視でガーゼ本体４の幅方向の一側寄りの位置に取り付けられている。さらに、このＸ線造影糸11は、連続した一本の糸状に形成された糸状物であるとともに、レントゲン撮影時に確認されやすいようにある程度の太さを有している。したがって、このＸ線造影糸11は、ガーゼ本体４の経糸２および緯糸３のそれぞれより剛性が高く形成されている。
【００２５】
さらに、このＸ線造影糸11は、Ｘ線造影剤とプラスチック樹脂とから糸状に構成されて形成されている。ここで、Ｘ線造影剤としては、硫酸バリウムなどが素材として用いられている。また、プラスチック樹脂としては、ポリ塩化ビニル、ポリプロピレン、ポリエステル、ポリエチレン、ポリスチレンあるいはシリコーンなどが用いられている。
【００２６】
具体的に、このＸ線造影糸11は、このＸ線造影糸の長手方向の両端部12が、ガーゼ本体４の各経糸２の長手方向の両端部より内側に位置するように配設されている。さらに、このＸ線造影糸11の両端部12は、図２に示すように、ガーゼ本体４の長手方向の両端部のそれぞれに形成されている織り止め外方部７の外側端より内側に位置しているとともに、これら織り止め外方部７それぞれの内側に設けられている織り止め部６の外側端に位置する緯糸３より若干外方に向けて突出している。また、このＸ線造影糸11は、ガーゼ本体４のいずれか一本の経糸２と置き換えられた状態で、このガーゼ本体４の各緯糸３に交互に交差して織り込まれている。
【００２７】
次に、上記第１の実施の形態の使い捨て衛生部材の製造方法について図３を参照して説明する。
【００２８】
まず、工程１として、直線状に連続した一本の糸状の複数本の経糸２とともに直線状に連続した一本の糸状のＸ線造影糸11を、これら経糸２およびＸ線造影糸11の搬送方向である流れ方向に沿って互いに平行に離間させて配設する。
【００２９】
次いで、工程２として、これら複数本の経糸２およびＸ線造影糸11それぞれの流れ方向に直交する方向に向けて、複数本の緯糸３を平行に離間させながら交互に交差させて、織り止め部６、平織り部５、織り止め部６および織り止め外方部７のそれぞれを順次に連続して形成させて、流れ方向に連続して連結されたガーゼ１を形成する。
【００３０】
さらに、工程３として、Ｘ線造影糸11の両端部12が織り止め外方部７の経糸２の端部８より内側に位置するようにＸ線造影糸11を切断してから、流れ方向に連続して連結されたガーゼ１の各織り止め外方部７それぞれの経糸２を幅方向に沿って切断して、Ｘ線造影糸11入りのガーゼ１を製造する。
【００３１】
上述したように、上記第１の実施の形態によれば、長手方向に沿った複数の経糸２と幅方向に沿った複数の緯糸３とが交互に交差して平織りされたガーゼ本体４の長手方向に沿って緯糸３と交差して、このガーゼ本体４の経糸２および緯糸３のそれぞれより剛性が高いＸ線造影糸11が配設されている。また、このガーゼ本体４の長手方向の両端部には、緯糸３が密となるように複数の緯糸３が長手方向に沿って接して配設された織り止め部６がそれぞれ形成され、この織り止め部６よりガーゼ本体４の長手方向の外方には、緯糸３が配設されていない織り止め外方部７が形成されている。そして、この織り止め外方部７の経糸２の端部より内側にＸ線造影糸11の両端部12が位置している構成とした。
【００３２】
この結果、このＸ線造影糸11の両端部12がガーゼ本体４の織り止め外方部７より内側に位置しているので、このＸ線造影糸11の両端部12のみを摘みにくくなる。したがって、このＸ線造影糸11のみを誤って摘んでしまうことが防止できるから、このＸ線造影糸11の端部12を摘んで引っ張った際に、このＸ線造影糸11が途中で切れてしまうことを防止できる。同時に、このＸ線造影糸11の両端部12それぞれの織り止め部６から織り止め外方部７へと突出している部分を少なくできるので、このＸ線造影糸11の両端部12の接触によって、体内や皮膚などの被接触物を傷つけてしまうことを防止できるとともに、このＸ線造影糸11の端部12が皮膚に擦れるなどによって生じるかゆみなどの発生を防止できる。
【００３３】
さらに、複数本の経糸２とともにＸ線造影糸11を流れ方向に沿って平行に配設してから、これら経糸２およびＸ線造影糸11の流れ方向に直交させて複数本の緯糸３を交互に交差させて織り止め部６、平織り部５、織り止め部６および織り止め外方部７のそれぞれが順次に連続して形成されたガーゼ１とする。この後、このガーゼ１の各織り止め外方部７それぞれの経糸２を切断すると同時に、Ｘ線造影糸11の両端部12が織り止め外方部７の経糸２の端部８より内側に位置するようにＸ線造影糸11を切断して、個々に切断された複数のガーゼ１を連続して製造する構成とした。
【００３４】
この結果、各織り止め外方部７の経糸２の端部８より内側にＸ線造影糸11の両端部12が位置しているＸ線造影糸11入りガーゼ１を容易に連続して製造できる。したがって、Ｘ線造影糸11の両端部12が摘みにくく、このＸ線造影糸11の両端部12の接触によって体内や皮膚などを傷つけてしまうことを防止できるＸ線造影糸11入りガーゼ１を容易に製造できる。
【００３５】
なお、上記第１の実施の形態では、ガーゼ本体４の織り止め部６の外側縁に位置する緯糸３よりＸ線造影糸11の端部12を若干突出させたが、図４に示す第２の実施の形態のように、このＸ線造影糸11の両端部12をガーゼ本体４の各織り止め部６の外側縁に位置する経糸２より内方に位置させることもできる。そして、このＸ線造影糸11の両端部12は、ガーゼ本体４の各織り止め部６の外側縁から数えて複数本目、例えば４本目の経糸２に重なるように配設されている。したがって、このＸ線造影糸11は、このＸ線造影糸11の両端部12がガーゼ本体４の織り止め外方部７より内側に位置するように、このガーゼ本体４に織り込まれている。
【００３６】
この結果、Ｘ線造影糸11の両端部12が織り止め部６の幅方向の外端部より内側に位置しているので、このＸ線造影糸11の両端部12が織り止め外方部７に位置しなくなる。このため、このＸ線造影糸11を摘むことをより確実に防止できるとともに、このＸ線造影糸11の両端部12によって体内や皮膚などを傷つけてしまうことをより確実に防止でき、このＸ線造影糸11の端部12によるかゆみの発生をより確実に防止できる。
【００３７】
すなわち、このＸ線造影糸11の両端部12は、経糸２の両端部８より内側に位置していれば良いが、この経糸２の両端部８とＸ線造影糸11の端部12との差が微細な時には、このＸ線造影糸11の両端部12が摘みにくくなるという効果があまり得られないので、このＸ線造影糸11の両端部12をできるだけ織り止め部６近傍まで内方に位置させるほうが好ましい。さらに、このＸ線造影糸11の両端部12は、このＸ線造影糸11の抜け落ちを防止することを考慮すると、ガーゼ本体４の織り止め部６の長手方向外方部である外側縁と長手方向内方部である内側縁との間に位置していることが好ましい。
【００３８】
また、ガーゼ本体４に１本のＸ線造影糸11を織り込んだが、このＸ線造影糸11をレントゲン写真により造影されやすくするために、複数本のＸ線造影糸11を一本にまとめてガーゼ本体４に織り込んだり、これら複数本のＸ線造影糸11を別個にガーゼ本体４に織り込んだりすることもできる。
【００３９】
さらに、Ｘ線造影糸11の両端部12が織り止め外方部７の経糸２の端部８より内側に位置するようにＸ線造影糸11を切断してから、流れ方向に連続して連結されたガーゼ１の各織り止め外方部７それぞれの経糸２を幅方向に沿って切断したが、ガーゼ本体４の各織り止め外方部７それぞれの経糸２を切断すると同時に、Ｘ線造影糸11の両端部12を切断したり、このガーゼ１の各織り止め外方部７それぞれの経糸２を切断した後に、ガーゼ本体４に織り込まれたＸ線造影糸11を別個に切断したりして、個々に切断された複数のガーゼ１を連続して製造することもできる。
【図面の簡単な説明】
【００４０】
【図１】本発明の使い捨て衛生部材の第１の実施の形態を示す説明平面図である。
【図２】同上使い捨て衛生部材の一部を示す説明平面図である。
【図３】同上使い捨て衛生部材の製造方法を示す説明図である。
【図４】本発明の使い捨て衛生部材の第２の実施の形態の一部を示す説明平面図である。
【符号の説明】
【００４１】
１    使い捨て衛生部材としてのガーゼ
２    経糸
３    緯糸
４    衛生材料としてのガーゼ本体
５    平織り部
６    織り止め部
７    織り止め外方部
８    端部
11    Ｘ線造影糸
12    端部
【図１】
2006218114.tif 000003
【図２】
2006218114.tif 000004
【図３】
2006218114.tif 000005
【図４】
2006218114.tif 000006